(57)【要約】【課題】複数種類の光ファイバを固定できる光ファイバ固定治具を提供することである。【解決手段】基板１と、大きさの異なる少なくとも２つのガイド溝６ａ，６ｂを有し且つ基板１に着脱可能に取り付けられる光ファイバ載置体６と、基板１上で光ファイバ載置体６のガイド溝６ａ，６ｂに入れられた光ファイバ１１を押圧する蓋体２とを有する。【選択図】図１
2006058391.tif 000002
【特許請求の範囲】
【請求項１】
基台と、
大きさの異なる少なくとも２つのガイド溝を有し且つ前記基台に着脱可能に取り付けられる光ファイバ載置体と、
前記基台上で光ファイバ載置体の前記ガイド溝に入れられた光ファイバを押圧する蓋体と
を有することを特徴とする光ファイバ固定治具。
【請求項２】
前記基台には、前記光ファイバ載置体を嵌め込む凹部が形成されていることを特徴とする請求項１に記載の光ファイバ固定治具。
【請求項３】
前記基台の前記凹部の内側面には、前記光ファイバ載置体を前記凹部内方に加圧する弾性部材が取り付けられていることを特徴とする請求項２に記載の光ファイバ固定治具。
【請求項４】
前記光ファイバ載置体は複数の面を有し、前記複数の面のそれぞれに大きさの異なる前記ガイド溝が形成されていることを特徴とする請求項１乃至請求項３のいずれかに記載の光ファイバ固定治具。
【請求項５】
前記光ファイバ載置体に形成された突起と、
前記基台に形成されて前記突起を着脱可能に嵌め込む位置合わせ溝と
をさらに有することを特徴とする請求項１乃至請求項４のいずれかに記載の光ファイバ固定治具。
【発明の詳細な説明】
【技術分野】
【０００１】
本発明は、光ファイバ固定治具に関し、より詳しくは、光ファイバの被覆の除去、光ファイバの心線の切断等を行う際に光ファイバを固定する構造を有する光ファイバ固定治具に関する。
【背景技術】
【０００２】
光ファイバ端部にコネクタを取り付けたり、光ファイバ同士を接続する場合には、光ファイバ端部の被覆を除去して心線を露出させた後に、心線を所定の長さに切断することが行われている。
【０００３】
光ファイバ端部の被覆の除去にはストリッパと呼ばれる治具が用いられ、また、心線の長さの調整にはファイバカッタが用いられている。
【０００４】
そのような光ファイバの加工は非常に高い精度が要求されるが、光ファイバはフレキシブルであるために、加工用機械に直に取り付けるのではなく固定治具に固定して取り付けられる。
【０００５】
固定治具は、光ファイバの端部近傍を固定して安定にするものであって、光ファイバの一端部分を所定の長さで露出する構造を有している。その露出部分は加工用機械で加工される。
【０００６】
光ファイバ固定治具として、光ファイバを基台と蓋体の間に押圧して固定する構造のものが下記の特許文献１に記載されている。その他に、図１１に示すように光ファイバを収めるガイド溝を有する構造もある。
【０００７】
図１１において、基台１０１の上面には長手方向に所定幅のガイド溝１０２が１つ形成され、また、基台１０１の側部には蓋体１０３が回動可能に取り付けられている。さらに、蓋体１０３の下面には、ゴムプレート１０４が取り付けられている。
【０００８】
この光ファイバ固定治具を用いて光ファイバ１０５を固定する場合には、まず、光ファイバ１０５をガイド溝１０２に取り付ける。この場合、光ファイバ１０５の端部を基台１０１から所定の長さではみ出させる。
【０００９】
続いて、蓋体１０３を閉じ、ゴムプレート１０４により光ファイバ１０５を基台１０１に押し付けて固定する。なお、蓋体１０３と基台１０１は、それらの内部に埋め込まれた磁石（不図示）により閉じた状態に保持される。
その後、光ファイバ１０５は、光ファイバ固定治具とともにファイバカッタ、ストリッパ等の機器に取り付けられて加工される。
【００１０】
【特許文献１】特開平９−１９７１６３号公報
【発明の開示】
【発明が解決しようとする課題】
【００１１】
従来の光ファイバ固定治具は、図１１に示したように基台１０１上に光ファイバ１０５を嵌め込むガイド溝１０２が基台１０１に作りつけられていた。
ところで、光ファイバは、単心光ファイバ、２心光ファイバテープ、４心光ファイバテープ等のように、幅の異なる幾つかの種類があるため、それらに対応した光ファイバ固定治具を複数用意する必要があった。
【００１２】
しかし、複数種類の光ファイバを処理する際に種類の数に応じた複数の光ファイバ固定治具を用意すると、荷が嵩張るばかりでなく、コストが高くなる。
【００１３】
本発明の課題は、複数種類の光ファイバを１台で固定できる光ファイバ固定治具を提供することにある。
【課題を解決するための手段】
【００１４】
本発明の態様は、大きさの異なる少なくとも２つのガイド溝を有し且つ基台に着脱可能に取り付けられる光ファイバ載置体と、前記基台上で光ファイバ載置体の前記ガイド溝に入れられた光ファイバを押圧する蓋体とを有する光ファイバ固定治具である。
【発明の効果】
【００１５】
本発明によれば、大きさの異なる光ファイバ用ガイド溝を少なくとも２つ有する光ファイバ載置体を基台に着脱可能に取り付けるようにしたので、１台の光ファイバ固定治具によって少なくとも２種類の光ファイバを処理することが可能になり、複数の光ファイバを処理する際の光ファイバ固定治具が取り扱い易くなる。
【発明を実施するための最良の形態】
【００１６】
以下に本発明の実施の形態を図面に基づいて詳細に説明する。
（第１の実施の形態）
【００１７】
図１は、本発明の第１の実施の形態に係る光ファイバ固定治具を示す分解斜視図である。
【００１８】
図１に示す光ファイバ固定治具１０は、横長の略直方体の基台１と、この基台１の長手方向に間隔をおいて２つ配置される蓋体２とを有している。
【００１９】
蓋体２の一側部はヒンジ３を介して基台１の一側部に回動可能に取り付けられ、これにより蓋体２が基台１の上面に対して開閉可能な状態になっている。また、蓋体２の下面には、加工対象である光ファイバを基台１に押圧するための押圧板４が突出して取り付けられている。押圧板４は、光ファイバを損傷させにくい材料、例えば、ゴム、スポンジゴム、樹脂その他の弾性体から構成されている。
【００２０】
基台１の上面には、長手方向に延在し且つ光ファイバの幅より広い幅を有する凹部５が形成されている。この凹部５の前端部、中央部及び後端部のそれぞれの底には、凹部５を幅方向に横切る形状を有する位置合わせ溝５ａ，５ｂ，５ｃが形成されている。
【００２１】
また、基台１の凹部５には、図１、図２に示すように、板状の光ファイバ載置体６が着脱可能に嵌め込まれている。この光ファイバ載置体６の一面（第１面）には、第１の光ファイバを嵌め込んでその幅方向への移動を規制する直線状の第１のガイド溝６ａが長手方向の前端から後端まで形成されている。ここでは、第１の光ファイバを例えば８心光ファイバテープとして、その幅と第一のガイド溝６ａの幅がほぼ同じになっている。
【００２２】
第１のガイド溝６ａの深さは、第１のガイド溝６ａに収められた第１の光ファイバの一部が上方向にはみ出す程度とする。これにより、蓋体２を閉じることにより、蓋体２で第１の光ファイバを光ファイバ載置体６に押圧することが可能になる。
【００２３】
また、光ファイバ載置体６の反対面（第２面）には、第１の光ファイバとは幅の異なる第２の光ファイバを嵌め込んでその幅方向への移動を規制する直線状の第２のガイド溝６ｂが長手方向の前端から後端まで形成されている。ここでは、第２の光ファイバを例えば４心光ファイバテープとし、その幅と第２のガイド溝６ｂの幅はほぼ同じになっている。第２のガイド溝６ｂの深さは、第２の光ファイバの一部が上にはみ出す程度とする。
【００２４】
光ファイバ載置体６の第１面の前端、中央部及び後端のそれぞれには、第１のガイド溝６ａの両側に隣接して垂直方向に突出する突起６ｃが形成されている。それらの突起６ｃは基台１の位置合わせ溝５ａ，５ｂ，５ｃに嵌め込まれる形状を有し、これにより光ファイバ載置体６は凹部５内で位置決めされる。
【００２５】
また、光ファイバ載置体６の第２面の前端、中央部及び後端のそれぞれには、第２のガイド溝６ｂの両側に隣接して垂直方向に突出する突起６ｄが形成されている。それらの突起６ｄは、基台１の位置合わせ溝５ａ，５ｂ，５ｃに嵌め込まれる形状を有している。
なお、光ファイバ載置体６の突起６ｃ，６ｄは、光ファイバ載置体６を基台１の凹部５に嵌め込んだ状態で開閉される２つの蓋体２に当たらない位置に形成されている。
【００２６】
なお、図中符号７、８は、蓋体２と基台１を閉じた状態で互いに対向する領域に埋め込まれた磁石を示している。
【００２７】
上述した光ファイバ固定治具１０を用いて８心光ファイバテープ１１を固定する手順について説明する。
まず、図１に示すように光ファイバ固定治具１０の蓋体２を開いて、光ファイバ載置体６の第２面を下向きにしながら光ファイバ載置体６を凹部５に嵌め込むと、光ファイバ載置体６の第１面が基台１の上側に露出する。
【００２８】
また、光ファイバ載置体６は、基台１の凹部５によって側方への移動が規制されるとともに、第２面の突起６ｄと位置合わせ溝５ａ，５ｂ，５ｃの嵌め合わせによって前後への移動も規制される。
【００２９】
続いて、図２に示すように、８心光ファイバテープ１１の一端部が基台１から所定範囲の長さではみ出した状態で、８心光ファイバテープ１１を光ファイバ載置体６の第１のガイド溝６ａ内に嵌め込む。この場合、８心光ファイバテープ１１は、第１のガイド溝６ａの両側の突起６ｃによって外れ難くなっている。
【００３０】
この状態で、８心光ファイバテープ１１を手で光ファイバ載置体６に押さえながら一方の蓋体２を閉じると、磁石７，８の吸引力によって一方の蓋体２は閉じた状態に保持される。さらに、残りの蓋体２を閉じる。
【００３１】
これにより、８心光ファイバテープ１１は、図３に示すように、２つの蓋体２の下面の押圧板４によって光ファイバ載置体６に押圧され固定される。この場合、図３のＩ−Ｉ線から見た光ファイバ固定治具１０の断面は図４に示すようになる。
【００３２】
４心光ファイバテープを光ファイバ固定治具１０に固定する場合には、図５に示すように、光ファイバ載置体６の第１面を下側にして光ファイバ載置体６を基台１の凹部５に嵌め込み、さらに第１面の突起６ｃを位置合わせ溝５ａ，５ｂ，５ｃに嵌め込むと、第２のガイド溝６ｂが上に現れる。続いて、第２のガイド溝６ｂに４心光ファイバテープ１２を嵌め込み、その後に、上述したと同じ手順を経て蓋体２を閉じる。これにより、４心光ファイバテープ１２は光ファイバ取付治具１０に固定される。
【００３３】
以上のように、本実施形態では、基台１に凹部５を形成し、この凹部５に嵌め込まれる光ファイバ載置体６の一面及び反対面にそれぞれ大きさの異なるガイド溝６ａ，６ｂを形成している。
【００３４】
これにより、一台の光ファイバ固定治具１０を使用して二種類の光ファイバの端末処理が可能になるので、持ち運びが便利になり、コストも削減される。
【００３５】
次に、光ファイバ固定治具１０により固定された２組の光ファイバ同士を融着接続するための被覆除去、心線切断について図６，図７を参照して簡単に説明する。なお、図６、図７は１組分の処理のみを示している。
【００３６】
まず、図６（ａ）に示す光ファイバ固定治具１０と光ファイバ１３を２組用意する。
続いて、図６（ｂ）に示すように、１組目の光ファイバ固定治具１０に光ファイバ１３を取り付けて固定する。光ファイバ１３の固定の手順は上述した方法に従い行われ、光ファイバ１３の種類に合わせて第１、第２のガイド溝６ａ，６ｂのいずれかが選択される。この場合、光ファイバ１３は、その一端が光ファイバ固定治具１０からはみ出るように固定される。
【００３７】
さらに、図６（ｃ）に示すように、ファイバ被覆除去機としてホットストリッパ１４を用意し、ホットストリッパ１４に光ファイバ固定治具１０を取り付ける。ホットストリッパ１４は、光ファイバ１３の被覆を加熱しながら挟む本体１４ａと、光ファイバ固定治具１０を装着するためのフォルダ取付部１４ｂとを有している。また、フォルダ取付部１４ｂは、スライダ１４ｃを介して本体１４ａに対して進退可能に接続されている。
【００３８】
そして、光ファイバ固定治具１０をフォルダ取付部１４ｂ内に装着して、光ファイバ１３の一端部の被覆を本体１４ａ内のヒータに接触させ、さらに、所定時間加熱する。
【００３９】
その後に、図６（ｄ）に示すように、光ファイバ固定治具１０をフォルダ取付部１４ｂによりしっかりと把持しながら、フォルダ取付部１４ｂをスライダ１４ｃに沿って本体１４ａからゆっくり引くと、加熱されて軟らかくなった光ファイバ１３の被覆は本体１４ａに残って光ファイバ１３から除去される。この結果、光ファイバ１３の一端部は、清浄な心線１３ａが露出された状態で本体１４ａから引き出される。
【００４０】
さらに、図６（ｅ）に示すように、光ファイバ固定治具１０をホットストリッパ１４から外した後に、アルコール等を用いて光ファイバ１３の心線１３ａを清掃する。
【００４１】
次に、図７（ａ）に示すように、ファイバカッタ１５を用意し、そのフォルダ取付部１５ａに１組目の光ファイバ固定治具１０を取り付ける。この場合、光ファイバ１３は、露出された心線１３ｂの途中がファイバカッタ１５内のカッタ刃１５ｂの移動方向にかかる状態で取り付けられる。
【００４２】
続いて、図７（ｂ）に示すように、カッタ刃１５ｂを移動させて光ファイバ１３の心線１３ａの途中を切断する。これにより、光ファイバ１３の一端部の心線１３ａは、端面が清浄な所定の長さとなる。その後に、図７（ｃ）に示すように、光ファイバ１３をファイバカッタ１５から外す。これにより光ファイバ１３の端末処理作業が完了する。
【００４３】
次に、光ファイバ１３を光ファイバ固定治具１０に取り付けた状態で融着機（不図示）に取り付ける。
【００４４】
残る一組の光ファイバ固定治具と光ファイバについても図６（ａ）〜（ｅ）、図７（ａ）〜（ｃ）に示すような作業を経て端末処理を行った後に、融着機に取り付け、これにより２本の光ファイバ１３の心線１３ａ同士を突き合わせて融着接続する。
【００４５】
（第２の実施の形態）
図８は、本発明の第２の実施形態に係る光ファイバ固定治具から光ファイバ載置体を外した状態を示す斜視図、図９は、その光ファイバ固定治具に光ファイバ載置体を取り付けた状態を示す斜視図である。なお、図８、図９において、図１、図２と同じ符号は同じ要素を示している。
【００４６】
図８に示す光ファイバ固定治具１０は、第１実施形態と同様に、凹部５が上面に形成された基台１と、基台１の一側部に開閉可能に取り付けられた２つの蓋体２と、基台１の凹部５に上下反転して嵌め込み可能な光ファイバ載置体６とを有している。
【００４７】
その基台１のうち凹部５の内面の少なくとも一側部には縦溝２１が形成され、その縦溝２１内にはゴム、板バネ、ボールプランジャ等の弾性部材２２が凹部５内に突出して取り付けられている。光ファイバ固定治具１０のその他の構成は第１の実施形態と同様である。
【００４８】
このような構造の凹部５に光ファイバ載置体６を嵌め込む場合には、嵌め込む過程において弾性部材２２が光ファイバ載置体６の側面を加圧しながら縦溝２１内に後退する。
【００４９】
そして、図９に示すように、光ファイバ載置体６を凹部５に嵌め込んだ状態では、光ファイバ載置体６は弾性部材２２によって横方向に押されて、凹部５から抜けにくくなる。
【００５０】
従って、凹部５に嵌め込まれた光ファイバ載置体６のガイド溝６ａ，６ｂに光ファイバを入れてから蓋体２を閉じるまでの作業中に光ファイバ載置体６の抜けが防止されるので、作業がし易くなる。
【００５１】
（第３の実施の形態）
図１０は、本発明の第３の実施形態に係る光ファイバ固定治具を示す斜視分解図である。なお、図１０において、図１と同じ符号は同じ要素を示している。
【００５２】
図１０に示す光ファイバ固定治具１０は、凹部２５が上面に形成された基台１と、基台１の一側部に開閉可能に取り付けられた２つの蓋体２と、基台１内に上向きに形成された凹部２５に嵌め込み可能な光ファイバ載置体２６とを有している。
【００５３】
光ファイバ載置体２６は、横長の略直方体の形状を有し、長手方向に対して垂直方向の断面は正方形となっている。また、光ファイバ載置体２６の各４面には、大きさの異なる光ファイバを収めるガイド溝２６ａ、２６ｂ，２６ｃ，２６ｄが長手方向に前端から後端に至る長さに形成されている。
【００５４】
光ファイバ載置体２６の第１面には例えば２心光ファイバテープが嵌め込まれる第１のガイド溝２６ａが形成され、これに隣接する第２面には例えば４心光ファイバテープが嵌め込まれる第２のガイド溝２６ｂが形成され、これに隣接する第３面には例えば８心光ファイバテープが嵌め込まれる第３のガイド溝２６ｃが形成され、これに隣接する第４面には例えば単心光ファイバが嵌め込まれる第４のガイド溝２６ｄが形成されている。
【００５５】
また、第１面〜第４面２６ａ〜２６ｄのそれぞれの前端、中央及び後端には、各面に垂直方向に突出する突起２６ｅ〜２６ｇが設けられている。
【００５６】
基台１に形成された凹部２５は、光ファイバ載置体２６の第１〜第４面のいずれの面を上にしても、光ファイバ載置体２６をほぼ同じ状態で嵌め込める深さと形状を有している。また、凹部２５には、光ファイバ載置体２６の突起２６ｅ〜２６ｇを嵌め入れるための位置決合わせ溝２５ａ〜２５ｃが形成されている。
【００５７】
なお、凹部２５の側面には、第２の実施形態と同じように弾性部材を有する縦溝を形成してもよい。
【００５８】
上述した光ケーブル固定治具によれば、光ファイバ載置体２６の第１面〜第４面２６ａ〜２６ｄのいずれかを選択し、その選択した面が基台１の上面側に現れるように光ファイバ載置体２６を基台１の凹部２５に嵌め込み、その面に現れるガイド溝２６ａ〜２６ｄ内にその幅に合った光ファイバを取り付け、これを蓋体２によって押圧して固定することが可能になる。さらに、種類の異なる別の光ファイバを固定する場合には、凹部２５に対する光ファイバ載置体２６の第１面〜第４面２６ａ〜２６ｄの向きを変えればよい。
【００５９】
従って、本実施形態によれば、１台の光ファイバ固定治具１０で４種類の光ファイバの心線端末処理が可能になり、嵩張らずに持ち運びに便利になり、設備コストもさらに低減される。
【００６０】
なお、光ファイバ載置体の形状は直方体に限られるものではないし、また、光ファイバ用のガイド溝の本数は２本、４本に限らるものではなく、異なる幅のガイド溝が少なくとも２つ形成されていれば、１台の光ファイバ固定治具で複数種類の光ファイバの固定が可能になる。さらに、１台の光ファイバ固定治具について複数種類の光ファイバ載置体を用意して交換可能にしてもよい。
【図面の簡単な説明】
【００６１】
【図１】図１は、本発明の第１の実施形態に係る光ファイバ固定治具を示す分解斜視図である。
【図２】図２は、本発明の第１の実施形態に係る光ファイバ固定治具を示す斜視図である。
【図３】図３は、本発明の第１の実施形態に係る光ファイバ固定治具により光ファイバを固定した状態を示す斜視図である。
【図４】図４は、本発明の第１の実施形態に係る光ファイバ固定治具により光ファイバを固定した第１例を示す断面図である。
【図５】図５は、本発明の第１の実施形態に係る光ファイバ固定治具により光ファイバを固定した第２例を示す断面図である。
【図６】図６は、本発明の第１の実施形態に係る光ファイバ固定治具を用いて光ファイバの被覆を除去する工程を示す上面図である。
【図７】図７は、本発明の第１の実施形態に係る光ファイバ固定治具を用いて光ファイバの心線を切断する工程を示す上面図である。
【図８】図８は、本発明の第２の実施形態に係る光ファイバ固定治具から光ファイバ載置体を外した状態を示す斜視図である。
【図９】図９は、本発明の第２の実施形態に係る光ファイバ固定治具を示す斜視図である。
【図１０】図１０は、本発明の第３の実施形態に係る光ファイバ固定治具を示す分解斜視図である。
【図１１】図１１は、先行技術に係る光ファイバ固定治具を示す斜視図である。
【符号の説明】
【００６２】
１：基台
２：蓋体
３；ヒンジ
４：押圧板
５、２５：凹部
５ａ，５ｂ，５ｃ、２５ａ，２５ｂ，２５ｃ：位置合わせ溝
６、２６：光ファイバ載置体
６ａ，６ｂ、２６ａ〜２６ｄ：ガイド溝
６ｃ，６ｄ、２６ｅ〜２６ｇ：突起
７，８：磁石
１０：光ファイバ固定治具
【図１】
2006058391.tif 000003
【図２】
2006058391.tif 000004
【図３】
2006058391.tif 000005
【図４】
2006058391.tif 000006
【図５】
2006058391.tif 000007
【図６】
2006058391.tif 000008
【図７】
2006058391.tif 000009
【図８】
2006058391.tif 000010
【図９】
2006058391.tif 000011
【図１０】
2006058391.tif 000012
【図１１】
2006058391.tif 000013